(57)【要約】【課題】  複数の球通路を有する遊技機用球樋装置において、球の減少の速い球通路に球を早く供給可能な遊技機用球樋装置を提供する。【解決手段】  球を複数列で一端から他端に誘導可能な横樋２と、横樋２の内部に複数の球通路４；５を形成する仕切壁７とを備えた遊技機用球樋装置１において、仕切壁７の一端側と他端側との中間部には、仕切壁７の切除により複数の球通路４；５の一方と他方とに球を行き来させるための交差点３が形成されたものとした。【選択図】        図１
2005168568.tif 000002
【特許請求の範囲】
【請求項１】
球を複数列で一端から他端に誘導可能な横樋と、横樋の内部に複数の球通路を形成する仕切壁とを備えた遊技機用球樋装置において、仕切壁の一端側と他端側との中間部には、仕切壁の切除により複数の球通路の一方と他方とに球を行き来させるための交差点が形成されたことを特徴とする遊技機用球樋装置。
【請求項２】
交差点が、横樋の供給される球を受ける部分と球通路の球を崩す球崩し部分との間に配置されたことを特徴とする請求項１に記載の遊技機用球樋装置。
【請求項３】
交差点より一端側の球通路の底面が、一方の球通路から交差点に球を誘導する傾斜面に形成されたことを特徴とする請求項１に記載の遊技機用球樋装置。
【請求項４】
交差点より他端側の球通路の底面が、交差点から一方の球通路に球を誘導する傾斜面に形成されたことを特徴とする請求項１に記載の遊技機用球樋装置。
【請求項５】
交差点の側壁側の上面には、横樋の一端側から流下してくる球を交差点に誘導する突起が形成されたことを特徴とする請求項１に記載の遊技機用球樋装置。
【発明の詳細な説明】
【技術分野】
【０００１】
本発明は、複数の球通路を有する遊技機用球樋装置において、球の減少の速い球通路に球を早く供給可能な遊技機用球樋装置に関する。
【背景技術】
【０００２】
タンクからの球を球払出機構に自然流下式で流す遊技機用球樋装置において、仕切壁により２つの球通路を形成するとともに、タンクの球排出口の下方位置に平坦な共通通路を形成したものが知られている。
【特許文献１】特開２００１−３４０５７９号公報
【発明の開示】
【発明が解決しようとする課題】
【０００３】
特許文献１では、仕切壁で区切られた２つの球通路内のうちの一方の球通路内が球で満杯になり、他方の球通路内に球が少ない場合、タンクから供給された球を他方の球通路に供給する球供給経路は、共通通路から他方の球通路の上流の入口を経由する経路しかないので、球の少ない他方の球通路内が球で満杯になるまでの時間がかかる。従って、球の減少の速い球通路に球を早く供給することができない。
【課題を解決するための手段】
【０００４】
本発明の遊技機用球樋装置は、球を複数列で一端から他端に誘導可能な横樋と、横樋の内部に複数の球通路を形成する仕切壁とを備えた遊技機用球樋装置において、仕切壁の一端側と他端側との中間部には、仕切壁の切除により複数の球通路の一方と他方とに球を行き来させるための交差点が形成されたことを最も特徴とする。交差点が、横樋の供給される球を受ける部分と球通路の球を崩す球崩し部分との間に配置されたことや、交差点より一端側の球通路の底面が、一方の球通路から交差点に球を誘導する傾斜面に形成されたことや、交差点より他端側の球通路の底面が、交差点から一方の球通路に球を誘導する傾斜面に形成されたことや、交差点の側壁側の上面には、横樋の一端側から流下してくる球を交差点に誘導する突起が形成されたことも特徴とする。
【発明の効果】
【０００５】
本発明の遊技機用球樋装置によれば、交差点より他端側の球通路のうちの１つ以上の球通路内が球で満杯であり、かつ、交差点より他端側の球通路のうち１つ以上の球通路内の球が少ない場合に、横樋の一端側に供給される球は、交差点より一端側の複数の球通路に振り分けられた後に、この一端側の複数の球通路に入った球は、交差点を経由して他端側の球の少ない球通路内に入るので、球の減少の速い球通路に球を早く供給できる。また、交差点を、横樋の供給される球を受ける部分と球通路の球を崩す球崩し部分との間に配置したので、交差点により複数の球通路の他端側に球を導いた後に、球崩し部分で球の上下列を１段にして横樋の他端側に流すことができる。また、一端側の一方の球通路から流れてくる球は傾斜面により勢いがついて交差点に流れるので、交差点より他端側の他方の球通路に球が流れやすくなり、他端側の他方の球通路に球を早く供給できる。また、一端側の一方の球通路から交差点を経由した球は傾斜面により他端側の他方の球通路に早く供給される。また、一端側の一方の球通路から流れてくる球は突起に衝突してその反発力で交差点の方向に流れやすくなり、他端側の他方の球通路に球を早く供給できる。
【発明を実施するための最良の形態】
【０００６】
図１−図３は、一実施形態である。図１は、遊技機用球樋装置１を示す。図２のａ図は遊技機用球樋装置１の平面を示し、図２のｂ図−ｄ図は、横樋２内の球通路の底面形状を示す。図３はパチンコ機の裏面を示す。
【０００７】
図１を参照し、遊技機用球樋装置１の構造について説明する。遊技機用球樋装置１は、横樋２の内部に、交差点３を備える。横樋２は、球３０を図３に示すタンク３３から払出機構に誘導しつつ一列に整列して供給するものであって、材料を限定するものではないが、光透過性のある合成樹脂により、一端から他端に向けて球３０を自然流下する、上方に開放された横長な箱形に形成された形態である。横樋２の内部には、２つの球通路４；５が、横樋２の底部６から上方に突出する仕切壁７によって形成される。仕切壁７は、図１に球３０の流れる矢印Ｘ１で示す方向と直交する横方向の中央において、横樋２の一端から他端にわたり直線的に存在する。
【０００８】
交差点３は、２つの球通路４；５の一方と他方とに球３０を行き来させるための部分である。仕切壁７の一端側と他端側との中間部が仕切壁７の上面と横樋２の底部６の上面とにわたり切除されたことによって、交差点３が横樋２の内部に形成される。よって、交差点３には仕切壁７が存在しないので、交差点３よりも横樋２の一端側に存在する仕切壁７を一端側仕切壁８と称し、交差点３よりも横樋２の他端側に存在する仕切壁７を他端側仕切壁９と称し、交差点３よりも横樋２の一端側に存在する球通路４；５を一端側球通路１０；１１と称し、交差点３よりも横樋２の他端側に存在する球通路４；５を他端側球通路１２；１３と称する。
【０００９】
横樋２の一端側内部には、２つの球通路４；５に対応する球検出体１４；１５が、軸１６で、球３０の流れる方向に回転可能に別々に取り付けられる。軸１６は、横樋２の相対峙する側壁１７；１８と一端側仕切壁８より上方に突出した支持部１９とに装着される。このように軸１６の両端部が側壁１７；１８で支持されるとともに、軸１６の中間部が支持部１９で支持されたことによって、軸１６が撓むことなく２つの球検出体１４；１５を適切に支持する。
【００１０】
横樋２の交差点３よりも他端側における中間部には、２つの球通路４；５に対応する球崩し部材２０；２１が、軸２２で、球３０の流れる方向に別々に回転可能に取り付けられる。軸２２は、側壁１７；１８と他端側仕切壁９とに装着される。このように軸２２の両端部が側壁１７；１８で支持されるとともに、軸１６の中間部が他端側仕切壁９で支持されたことによって、軸２２が撓むことなく２つの球崩し部材２０；２１を適切に支持する。このように、交差点３が、タンク３３の球排出口３４から供給される球３０を受ける一端側球通路１０；１１と球崩し部材２０；２１との間に配置されるので、交差点３により他端側球通路１２；１３に導かれて縦方向に上下に重なって流れてくる球３０を球崩し部材２０；２１で上下１段に整列して後述の球出口２８；２７に流すことができる。
【００１１】
一端側仕切壁８の上面は、一端側仕切壁８の中央から球３０の流れる方向と直交する横方向に行くに従って徐々に下る斜面または弧面として形成される。一端側仕切壁８の上面が斜面または弧面として形成されたことによって、球３０がタンク３３から横樋２に供給された場合、一端側仕切壁８がタンク３３の球排出口３４から落下してきて衝突した球３０を、一端側球通路１０；１１のいずれかに適切に振り分ける。他端側仕切壁９の上面は、交差点３から球崩し部材２０；２１の軸２２の方向に向けて徐々に上る斜面であるとともに、他端側仕切壁９の中央から球３０の流れる方向と直交する横方向に行くに従って徐々に下る斜面または弧面として形成される。他端側仕切壁９の上面が球３０の流れる方向に行くに従って上る斜面であるとともに横方向に下る斜面または弧面に形成されたことによって、球３０が交差点３から他端側球通路１２；１３の方向に流れる場合、他端側仕切壁９が交差点３から他端側球通路１２；１３の方向に流下してきて衝突した球３０を、他端側球通路１２；１３のいずれかに適切に振り分ける。他端側仕切壁９の上面および側壁１７；１８の上面は、軸２２を球３０の流れる方向に越えた地点から徐々に下る斜面になっている。
【００１２】
図２のａ図に示すように、横樋２の他端部における底部６には、上下方向に貫通する球出口２７；２８が、２つの球通路４；５に対応して個別に設けられる。球出口２７；２８の周りにおける２つの球通路４；５の内部には、整流部２９；２９を備える。２つの球出口２７；２８は、横樋２の底部６から上方に突出する弧状壁３１と仕切壁７とに連接された隔壁３２で、互いに隔てられる。
【００１３】
図２のａ図およびｂ図にも示すように、球検出体１４；１５と交差点３との間において、横樋２の上方には、タンク３３の球排出口３４が配置される。タンク３３の球排出口３４の口径は、横樋２の球の流れる方向と直交する方向の幅が横樋２の側壁１７；１８間の長さより小さく、横樋２の球３０の流れる方向の幅が球検出体１４；１５の前側から一端側仕切壁８の球３０の流れる方向の端までに対応した寸法である。
【００１４】
図２のｂ図にも示すように、側壁１７；１８および球検出体１４；１５の底部６からの高さは、タンク３３から球排出口３４を経由して横樋２に供給される球３０を、一端側仕切壁８と側壁１７；１８とによって一端側球通路１０；１１に、上下に２個以上重なって受け取れる寸法になっている。一端側仕切壁８の底部６からの高さは、一端側球通路１０の底面２３に接触した１個の球３０が一端側仕切壁８を越えて一端側球通路１１に移動することはないが、当該１個の球３０の上に重なった１個以上の球３０が一端側仕切壁８を越えて一端側球通路１１に移動し得る一方、一端側球通路１１の底面２４に接触した１個の球３０が一端側仕切壁８を越えて一端側球通路１０に移動することはないが、当該１個の球３０の上に重なった１個以上の球３０が一端側仕切壁８を越えて一端側球通路１０に移動し得る寸法になっている。尚、一端側仕切壁８の底部６からの高さは、球３０の直径より大きい寸法にしてもよい。
【００１５】
一端側球通路１０；１１における底面２３；２４は、球検出体１４；１５から交差点３に向けて徐々に下る斜面であるとともに、側壁１７；１８から一端側仕切壁８に向けて徐々に下る斜面としても形成される。つまり、底面２３；２４は、底面２３；２４に接触した球３０を球検出体１４；１５から交差点３に向けて誘導するとともに側壁１７；１８から一端側仕切壁８に向けて誘導する複合斜面である。
【００１６】
図２のｃ図にも示すように、交差点３は、一端側仕切壁８から他端側仕切壁９に向けて徐々に下る斜面であるものの、球３０の流れる方向と直交する方向で水平な平坦面である。
【００１７】
図２のｄ図にも示すように、他端側球通路１２；１３における底面２５；２６は、交差点３から球崩し部材２０；２１に向けて徐々に下る斜面であるとともに、他端側仕切壁９から側壁１７；１８に向けて徐々に下る斜面としても形成される。つまり、底面２５；２６は、底面２５；２６に接触した球３０を交差点３から球崩し部材２０；２１に向けて誘導するとともに他端側仕切壁９から側壁１７；１８に向けて誘導する複合斜面である。
【００１８】
図２に基いて遊技機用球樋装置１の作用を説明する。図２（ｂ）に示すように、タンク３３の球排出口３４から横樋２の一端側に供給される球３０のうち、一端側仕切壁８の上面に衝突する球３０は、一端側球通路１０；１１のいずれかに振り分けられる。一端側球通路１０；１１に入った球３０は横樋２の他端側へ流れる。ここで、例えば、他端側球通路１３内が球３０で満杯であり、他端側球通路１２内の球３０が少なくなった場合には、タンク３３の球排出口３４より供給される球３０は一端側球通路１０；１１のいずれかに入る。一端側球通路１０に入った球３０は交差点３を通過して他端側球通路１３に向かうが他端側球通路１３はすでに満杯なので他端側球通路１２に入り、また、一端側球通路１１に入った球３０は交差点３を通過して他端側球通路１２に入る。即ち、タンク３３の球排出口３４から流下してくる球３０は一端側球通路１０；１１の両方から球３０の少ない他端側球通路１２内に入る。よって、球３０の減少が速い他端側球通路１２に球３０を早く供給できる。
【００１９】
図３を参照し、遊技機用球樋装置１を用いたパチンコ機の裏側の構造について説明する。遊技機用球樋装置１が、遊技機枠４０の裏面におけるタンク３３と縦形球樋３５との間に、横樋２の一端から他端に行くに従って徐々に傾斜する格好で、遊技機枠４０に取り付けられる。これによって、タンク３３における球排出口３４が横樋２の上に配置されて連結され、横樋２の球出口２７；２８が縦形球樋３５の球入口の上に配置されて連結部材３６で連結される。この場合、横樋２の２つの球出口２７；２８が縦形球樋３５の２つの球入口に別々に連結され、球通路４を流下してくる球３０が整流部２９で整流されて縦形球樋３５の２つの球入口に一列状態で別々に供給され、縦形球樋３５から球３０を一列状態で下部の球払出機構３７に別々に送り、球払出機構３７が、図外の制御装置からの球払出動作指示による図外の駆動源の駆動によって、縦形球樋３５から一列状態で別々に供給された球３０を中継樋３８から遊技機枠４０の前面における球皿３９に払い出す。タンク３３は、上方に開口された箱形である。タンク３３の上部には、遊技機枠４０の設置された遊技店における島と呼ばれる図外の遊技設置設備の補給系統の球出口が配置される。そして、球３０がタンク３３から横樋２に供給され、タンク３３に球３０が無くなるか、または、タンク３３の球３０が減ると、球検出体１４；１５を検出する図外の検出器から制御装置に球供給指示信号が送られ、制御装置の制御により補給系統から球３０がタンク３３に補給される。検出器は例えば横樋２の一端壁４１の下部に形成された図外の孔の外側に配置され、球３０で押されて軸１６を回転中心として回転する球検出体１４；１５により投入されるスイッチ部を有するものである。例えば検出器からスイッチの投入されていないことを示す信号が球供給指示信号として制御装置に送られることで、制御装置が補給系統に球補充処理を指示し、補給系統から球３０がタンク３３に補給される。
【００２０】
図４は第２実施形態を示し、交差点３の両側の側壁１７；１８側の上面には、横樋２の一端側球通路１０；１１から流下してくる球３０を交差点３に誘導する突起４２；４２が形成される。突起４２；４２は側壁１７；１８の内面１７ａ；１８ａに連設して設けられるか、あるいは、側壁１７；１８の内面１７ａ；１８ａから１個の球３０の直径より小さい間隔を隔てて設けられる。従って、横樋２の一端側球通路１０；１１から流下してくる球３０は突起４２に衝突すると、その反発力で交差点３の方向に跳ね飛ばされるので、球３０を効率的に交差点に誘導でき、他端側球通路１２；１３に球を早く供給できる。
【産業上の利用可能性】
【００２１】
本発明の遊技機用球樋装置は、パチンコ機や、遊技媒体としてパチンコ球を使用するスロットマシン等の遊技機に使用できる。
【図面の簡単な説明】
【００２２】
【図１】遊技機用球樋装置を示す斜視図（第１実施形態）。
【図２】遊技機用球樋装置を示し、ａ図は平面図、ｂ図はＡ−Ａ端面図、ｃ図はＢ−Ｂ端面図、ｃ図はＣ−Ｃ端面図（第１実施形態）。
【図３】遊技機用球樋装置を使用した遊技機の球払出系統を示す背面図（第１実施形態）。
【図４】遊技機用球樋装置の交差点部分の平面図（第２実施形態）。
【符号の説明】
【００２３】
１  遊技機用球樋装置、２  横樋、３  交差点、４；５  球通路、６  横樋の底部、
７  仕切壁、８  一端側仕切壁、９  他端側仕切壁、１０；１１  一端側球通路、
１２；１３  他端側球通路、１７；１８  側壁、２０；２１  球崩し部材（球崩し部分）、２３；２４  交差点より一端側の球通路の底面、２５：２６  交差点より他端側の球通路の底面、４２  突起。
【図１】
2005168568.tif 000003
【図２】
2005168568.tif 000004
【図３】
2005168568.tif 000005
【図４】
2005168568.tif 000006